(57)【要約】      （修正有）【課題】ガードレール、単管、工事用柵の外側枠等の夫々に取付けることができ、汎用性を持たせるようにし、且つ保安灯の取付け後は保安灯を取付金具より簡単には抜き取ることのできないようにし、盗難防止効果を持たせ、又全体を直線状態にして取り扱いや使い勝手のよい保安灯の取付金具を提供する。【解決手段】万力部１と筒挿入部とよりなり、万力部１は逆Ｕ字状で、口幅が広幅の口金枠３と該口金枠３の口端部に設けた締付けネジ部４よりなり、筒挿入部は、口金枠３の頂部に立設した支柱５と、該支柱５の上部に上下方向に回動して蝶ネジにより締着自在に取付けたリング状の筒挿入板７とよりなりとなっており、支柱５の正面部には上下方向の案内溝が設けてあり、筒挿入板７の上縁には角度調整溝９を設けてなる保安灯の取付金具である。【選択図】図１
0003177785.tif 000002
【実用新案登録請求の範囲】
【請求項１】
万力部と筒挿入部とよりなり、万力部は逆Ｕ字状で、口幅が広幅の口金枠と該口金枠の口端部に設けた締付けネジ部よりなり、筒挿入部は、口金枠３の頂部に立設した支柱と、該支柱の上部に上下方向に回動して蝶ネジにより締着自在に取付けたリング状の筒挿入板とよりなりとなっており、支柱の正面部には上下方向の案内溝が設けてあり、筒挿入板の上縁には角度調整溝を設けてなる保安灯取付金具。
【請求項２】
口金枠の口幅が、取付対象となる単管、ガードレールのビーム、工事用柵の夫々に跨いで取付けられるような広幅とした請求項１記載の保安灯取付金具。
【請求項３】
支柱の上下方向の案内溝は、保安灯の電池収納筒部の下側部に設けられている案内突起が嵌合し走行自在とした請求項１記載の保安灯取付金具。
【請求項４】
筒挿入板の角度調節溝は、保安灯の電池収納部の上部に設けている角度調節突起が嵌合自在である請求項１記載の保安灯取付金具。
【請求項５】
案内溝の側部中間に切り欠き溝を設けて保安灯の案内突起を解離自在とした請求項１記載の保安灯取付金具。
【考案の詳細な説明】
【技術分野】
【０００１】
本考案は道路のガードレール、単管、工事用安全柵等に取り付け工事中等の現場を視認させる保安灯の取付金具に関する。
【背景技術】
【０００２】
従来、道路工事においてはガードレールのビーム上縁部の鋼板に、該鋼板の上部の斜め形状に沿ってコの字型の金具を挟み込んで取付け、該金具の上面にくの字型にして垂直に立設した支柱の締付け金具に保安灯の電池収納筒体を取り付けているのが一般的である。
【０００３】
このガードレール専用のコの字型金具の口幅は、ビームの厚さに対応する狭い幅しかなく、従って他の単管、工事用柵などに使用することができず汎用性がないと共に、ビームの斜め形状に沿って金具を取付けるため金具が内側或は外側にはみ出ることとなり取り扱いに不便であると共に使い勝手が悪いなどの欠点がある。
【０００４】
【考案の概要】
【考案が解決しようとする課題】
【０００５】
そこで本考案は、ガードレール、単管、工事用柵の外側枠等の夫々に取付けることができるよう汎用性を持たせるようにし、且つ保安灯の取付け後は保安灯を取付金具より簡単には抜き取ることのできないようにして盗難防止効果を持たせ、又全体を直線状態にして取り扱いや使い勝手のよい保安灯の取付金具を提供しようとするものである。
【課題を解決するための手段】
【０００６】
本考案は、万力部と筒挿入部とよりなり、万力部は逆Ｕ字状で、口幅が広幅の口金枠と該口金枠の口端部に設けた締付けネジ部よりなり、筒挿入部は、口金枠の頂部に立設した支柱と、該支柱の上部に上下方向に回動して蝶ネジにより締着自在に取付けたリング状の筒挿入板とよりなりとなっており、支柱の正面部には上下方向の案内溝が設けてあり、筒挿入板の上縁には角度調整溝を設けてなる保安灯の取付金具であり、口金枠の口幅が、取付対象となる単管、ガードレールのビーム、工事用柵の夫々に跨いで取付けられるような広幅としてあり、支柱の上下方向の案内溝は、保安灯の電池収納筒部の下側部に設けられている案内突起が嵌合し走行自在とし、筒挿入板の角度調節溝は、保安灯の電池収納部の上部に設けている角度調節突起が嵌合自在としたものである。
【考案の効果】
【０００７】
本考案の効果として、ガードレール、単管、工事用柵の外側枠等に取付けることができて汎用性があり、ガードレール、単管、工事用柵などの夫々専用の取付金具を用意することがなく保安灯を取付けることができて経済的であり、又保安灯を装着後は取付金具と保安灯の取外しは簡単にはできないため保安等の盗難防止に役立つことができ、又万力部、筒挿入部全体は直線状態に並ぶので使い勝手のよく、作業効率を上げることができる。
【図面の簡単な説明】
【０００８】
【図１】本案に係る保安灯取付金具で保安灯を取付けた状態の正面斜視説明図。
【図２】本案に係る保安灯取付金具で保安灯を筒挿入板に差し込む状態の背面斜視説明図。
【図３】本案に係る保安灯取付金具の側面説明図。
【実施例】
【０００９】
本案を図示の実施例により詳記すると、万力部１と筒挿入部２とよりなり、万力部１は逆Ｕ字状で、口幅が広幅の口金枠３と該口金枠３の口端部に設けた締付けネジ部４よりなり、筒挿入部２は、口金枠３の頂部に立設した支柱５と、該支柱５の上部に上下方向に回動して蝶ネジ６により締着自在に取付けたリング状の筒挿入板７とよりなりとなっており、支柱５の正面部には上下方向の案内溝８が設けてあり、筒挿入板７の上縁には角度調節溝９を設けてなるものである。
【００１０】
口金枠３の口幅が、取付対象となる単管、ガードレールのビーム、工事用柵等の夫々に跨いで取付けられるよう広幅に構成されている。
【００１１】
支柱５の上下方向の案内溝８は、保安灯１０の電池収納筒部１１の下側部に設けられている案内突起１２が嵌合し走行自在としてある。
【００１２】
筒挿入板７の角度調節溝９は、保安灯１０の電池収納部１１の上部に設けている角度調節突起１３が嵌合自在となっている。
【００１３】
案内溝８の側部中間に切り欠き溝１４を設けて保安灯１０の案内突起１２を解離自在としてあるが、この切欠き溝１４は筒挿入板７の回動調整ができる段階においては案内突起１２と案内溝８とは解離自在であるので必ずしも必要ではない。
【作用】
【００１４】
これを使用するには、図示しないガードレールのビームに取付金具の口金枠３を跨らせ締付けネジ部４を操作して締着し、保安灯１１の電池収納部１２の案内突起１３を案内溝８に応当させて挿し込み、切欠き溝１０の位置で案内突起１３を案内溝８より外し、電池収納部１２を回転させて角度調節突起１４を角度調節溝９に嵌合し、保安灯１１の向きを一定にする。
【００１５】
保安灯１１を取付金具より取り外すには、電池収納部１２を持ち上げて角度調節突起１４を角度調節溝９より外し案内突起１３を案内溝８に対応させて保安灯１１を引き上げるとよい。この時蝶ネジ６を緩めて回動すれば案内突起１３と案内溝８とを対応させることができ、蝶ネジ６を緩めることのない場合は案内突起１３を切欠き溝１４位置に移動させて案内溝８に対応させ引き抜けばよい。角度調節突起１４と角度調節溝９とを外すのみでは保安灯１１は取り外すことができず、更に案内突起１３と案内溝８とを対応させなければ保安灯１１取付金具より引き抜き、外すことができないので、保安灯１１の盗難防止に役立つ。
【符号の説明】
【００１６】
１：万力部
２：電池収納部
３：口金枠
４：締付けネジ部
５：支柱
６：蝶ネジ
７：筒挿入板
８：案内溝
９：角度調節溝
１０：切欠き溝
１１：保安灯
１２：電池収納部
１３：案内突起
１４：角度調節突起
【図１】
0003177785.tif 000003
【図２】
0003177785.tif 000004
【図３】
0003177785.tif 000005